(57)【要約】【課題】  本発明は、ファイル用の表紙部と綴じ具部とを分離して供給可能な構成のファイルを提供することを目的とする。【解決手段】  本発明は、中央板部５をはさんで左右両側部に設けた側板部７，７との間の折込溝６，６の上下両側部にそれぞれ掛止溝９，９，９，９を設け、前記両側板部の上下両側部にそれぞれ通孔８，８，８，８を設け、前記中央板部の上下両側部にそれぞれ折込溝１１，１４，１６，１８を画して内縦曲部１２，１２，横曲部１３，１３，外縦曲部１５，１５及び水平部１７，１７を設け、これらの各部分を曲折して函形状に形成するとともに前記水平部の左右突出部１９，１９，１９，１９を前記掛止溝にそれぞれ掛止めして組立てるように成るものである。【選択図】    図４
2005225084.tif 000002
【特許請求の範囲】
【請求項１】
中央板部をはさんで左右両側部に設けた側板部との間の折込溝の上下両側部にそれぞれ掛止溝を設け、前記中央板部の上下両側部にそれぞれ折込溝を画して内縦曲部，横曲部，外縦曲部及び水平部を設け、これらの各部分を曲折して函形状に形成するとともに前記水平部の左右突出部を前記掛止溝にそれぞれ掛止めして組立てるように成ることを特徴とするファイル用綴じ具。
【請求項２】
中央板部をはさんで左右両側部に設けた側板部との間の折込溝の上下両側部にそれぞれ掛止溝を設け、前記両側板部の上下両側部にそれぞれ通孔を設け、前記中央板部の上下両側部にそれぞれ折込溝を画して内縦曲部，横曲部，外縦曲部及び水平部を設け、これらの各部分を曲折して函形状に形成するとともに前記水平部の左右突出部を前記掛止溝にそれぞれ掛止めして組立てるように成ることを特徴とするファイル用綴じ具。
【請求項３】
使い古した又は損傷したファイルから表紙部と綴じ具材とを分離し、前記表紙部の背表紙に新しい綴じ具材を取付けるようにするファイル再生法において、綴じ具材が、中央板部をはさんで左右両側部に設けた側板部との間の折込溝の上下両側部にそれぞれ掛止溝を設け、前記中央板部の上下両側部にそれぞれ折込溝を画して内縦曲部，横曲部，外縦曲部及び水平部を設け、これらの各部分を曲折して函形状に形成するとともに前記水平部の左右突出部を前記掛止溝にそれぞれ掛止めして組立てるように成ることを特徴とするファイル用綴じ具。
【請求項４】
背表紙の上下適所に鋲子を設け、この鋲子を綴じ具材の中央板部の上下両側部に設けた鋲孔に挿着し、このように成る部分を函形状に曲折形成した部分によって被套するように成る請求項１に記載したファイル用綴じ具。
【請求項５】
中央板部は背表紙の内側部に接着するようにして成る請求項１に記載したファイル用綴じ具。
【発明の詳細な説明】
【技術分野】
【０００１】
本発明は、事務用ファイルの綴じ具に関するものである。
【背景技術】
【０００２】
近年、循環型社会形成基本法のもとで、各種リサイクルに関する法律が整備されるとともに、社会的気運も、再利用・再生利用できる製品を求める傾向が高まってきている。
【０００３】
そこで、事務用ファイルを、表紙部と綴じ具部とによって構成されているものと捉えると、特に厚手のファイルにあっては、その材質は紙材と金属材または合成樹脂材とに分離されることになる。
【０００４】
現在、これらの材料を再利用・再生利用する技術としては、次のようなものが開示されている。
【０００５】
特開平１０−４４６６５号に係る発明は、ファイルを台紙（表紙）と綴り金具とに分離することを可能にし、綴じ金具を再利用する。
【０００６】
特開平１１−１８８９８１号に係る発明は、綴じ具を使用目的に応じて、金属製の綴じ具または保存用の簡易な綴じ具に置換することができるとともに、表紙に設けた通孔を介して綴じ紐で書類を綴ることも可能にする。
【０００７】
【特許文献１】特開平１０−４４６６５号公報
【特許文献２】特開平１１−１８８９８１号公報
【０００８】
ところが、これらのファイルは、一般的に表紙部が紙材、綴じ具部が金属材および／または合成樹脂材であるために、表紙部の損傷が綴じ具部に比較して早くなり、表紙部が損傷すると、綴じ具部が健全であってもファイル全体を廃棄しなければならないことになり、資源の有効利用の目的に反することになった。
【０００９】
また、ファイル全体は強固であるにもかかわらず、背表紙等にタイトルが記入されているため、他の書類を収容するわけにはいかず、使用頻度の低下したファイルは、そのまま保存用として保管場所に移動し、長期間保管しなければならなかった。
【００１０】
しかし、この場合でも、綴じ具には金属材が使用されているため腐食し易くなり、保存書類を汚損するおそれがあるなどの欠点があった。
【発明の開示】
【発明が解決しようとする課題】
【００１１】
そこで、本発明は、従来のこのような技術的課題を解決することを目的とする分離交換用のファイル綴じ具を提供するものである。
【課題を解決するための手段】
【００１２】
使い古されまたは損傷したファイルから収容書類を取り除いた後、綴じ具材と表紙部とに分離する。
【００１３】
次に、取り外した前記綴じ具材を、新しいファイルの表紙部の背表紙の所定位置に取付ける。
【００１４】
または、新しい前記綴じ具材を、古いファイルの表紙部の背表紙に取付ける。
【００１５】
本発明において、背表紙の内側部に取付ける綴じ具材は、中央板部をはさんで左右両側部に設けた側板部との間の折込溝の上下両側部にそれぞれ掛止溝を設け、前記両側板部の上下両側部にそれぞれ通孔を設け、前記中央板部の上下両側部にそれぞれ折込溝を画して内縦曲部，横曲部，外縦曲部及び水平部を設け、これらの各部分を曲折して函形状に形成するとともに水平部の左右突出部を前記掛止溝にそれぞれ掛止めして組立てるように成るものである。
【００１６】
本発明の前記構成の綴じ具にあっては、背表紙の上下適所に鋲子を設け、この鋲子を綴じ具材の中央板部の上下両側部に設けた鋲孔に挿着し、このように成る部分を函形状に曲折形成した部分によって被套するように成るものである。
【００１７】
また、背表紙の上下適所に鋲子を設けない表紙に用いる綴じ具にあっては、中央板部は背表紙の内側部に接着するように成るものである。
【発明の効果】
【００１８】
ファイルの一部である表紙部又は綴じ具材が損傷した場合であっても、ファイル全体を廃棄することなく、いずれか一方の損傷部品だけを交換すれば再び正常なファイルとして使用することができるから、使用ファイルの保存コストを低下することができる。
【００１９】
何を廃棄し、何を再利用するか、常用ファイルとして再生利用するか、保存用ファイルとして再生利用するかなどは、ユーザー自身が目的をもって自由に選択することができるから、コストの軽減と省資源を達成することができる。
【００２０】
綴じ具材を紙または水溶性樹脂材のみとすることによって紙ごみとして処理することができる。
【００２１】
ファイルの背表紙の内側部の上下両側部に突出する鋲子は、綴じ具材の中央板部に設けた鋲孔に挿着して綴じ具材と一体となるが、前記鋲子は中央板部と一体に曲折して函形状に形成される部分によって被套されるから、使用時に支障は起らず円滑なファイル使用をすることができる。
【００２２】
中央板部の左右両側部に折込溝を介して起立する側板部の上下側部分は、その内側部に中央板部と一体に曲折して函形状に形成された部分面に接することになるから、この函形状部分が左右両側板の起立状態を補強する機能を発揮し、確実かつ安定的に起立状態を維持することができるようになり、書類を綴じ紐を通して両側板部を挟んでの綴じ込み状態が常に円滑かつ確実にできるようになる。
【００２３】
また、前記函形状に形成する水平部の左右両突出部は前記左右両側板部と中央板部との折込溝に設けた掛止溝に挿入して掛止めているから、両者間の掛止め摩擦力により函形状部分を確実に固定することができ、併せて前記左右両側板部の起立状態を強力に保持することができる。
【００２４】
綴じ具材をファイル表紙材から分離した状態にして供給することによって、表紙材は扁平状に多数枚積重ねて梱包することができるから、梱包容積を削減することにより流通コストを低減することができる。
【発明を実施するための最良の形態】
【００２５】
綴じ具材全体の組立ては、中央板部の上下両側部に折込溝をそれぞれ画して設けた内縦曲部、横曲部、外縦曲部及び水平部を曲折して函形状部分を形成するとともに前記水平部の両突出部を左右両側板部の掛止溝に挿入掛止めすることによって完成する。（図２・図３→図４参照）
【００２６】
したがって、このように構成する綴じ具材は、ファイル表紙材とは分離した状態で供給することができるし、また両部材を取付けた一体の状態で供給することもできるから、使用者はどちらの手段の物品を選択してもよいことになる。
【００２７】
両部材を分離した状態で供給したときは、表紙材は扁平状に多数枚積重して梱包し、綴じ具材はこれを多数個まとめて梱包する。
【実施例】
【００２８】
１，１は表紙部、２は背表紙部、３はこの背表紙部２の内側部に取付ける綴じ具材で、これら表紙部１，１，背表紙部２，綴じ具材３は全部厚紙材から成るものである。
【００２９】
４，４，４，４は前記背表紙部２内側の上下適所に並設した鋲子で、この鋲子は前記綴じ具材３に設けた後記中央板部５の鋲孔１０，１０，１０，１０に挿着する。
【００３０】
５は前記綴じ具材３の中央板部で、この中央板部をはさんで左右両側の対称位置には折込溝６，６を画して側板部７，７を設ける。
【００３１】
８，８，８，８は前記両側板部７，７の上下側部の相対位置にそれぞれ設けた通孔である。
【００３２】
９，９，９，９は前記中央板部４と左右両側板部との間の折込溝６，６上に設けた掛止溝で、この掛止溝には後記水平部１７，１７の各左右突出部１９，１９，１９，１９が掛止められるように成る。
【００３３】
１０，１０，１０，１０は前記中央板部４の上下両端部にそれぞれ並設した鋲孔で、この鋲孔部の上下両部には折込溝１１，１１を画して内縦曲部１２，１２を設ける。
【００３４】
１３，１３は前記内縦曲部１２，１２から折込溝１４，１４を画して設けた横曲部で、この横曲部は前記内縦曲部１２，１２及び後記外縦曲部１５，１５とともに函形状部を形成し、この函形状部の内部においては、前記鋲孔１０，１０，１０，１０に挿着した鋲子４，４，４，４が被套されように成る。
【００３５】
１５，１５は前記横曲部１３，１３から折込溝１６，１６を画して設けた外縦曲部で、この外縦曲部は前記内横曲部１２，１２に相対する位置に成る。
【００３６】
１７，１７は前記外縦曲部１５，１５から折込溝１８，１８を画して設けた水平部で、この水平部の左右突出部１９，１９，１９，１９は前記左右両側板部の掛止溝９，９，９，９に掛止めし得るように成る。
【００３７】
２０，２０は綴じ紐で、これらの綴じ紐は綴じ具材３の左右両側部７，７を起立したときに中間に書類を挟んで置き、相対する前記通孔８，８間に懸けわたして綴じる。
【図面の簡単な説明】
【００３８】
【図１】本発明を構成する各部材全体の斜視図
【図２】取付け要部の関係を示した斜視図
【図３】他例の取付け要部の関係を示した斜視図
【図４】取付け要部の斜視図
【図５】取付け要部の他の関係を示した斜視図
【符号の説明】
【００３９】
３                      綴じ具材
４，４，４，４          鋲子
５                      中央板部
６，６                  折込溝
７，７                  側板部
８，８，８，８          通孔
９，９，９，９          掛止溝
１０，１０，１０，１０  鋲孔
１１，１１              折込溝
１２，１２              内縦曲部
１３，１３              横曲部
１４，１４              折込溝
１５，１５              外縦曲部
１６，１６              折込溝
１７，１７              水平部
１９，１９，１９，１９  突出部
２０，２０              綴じ紐
【図１】
2005225084.tif 000003
【図２】
2005225084.tif 000004
【図３】
2005225084.tif 000005
【図４】
2005225084.tif 000006
【図５】
2005225084.tif 000007